Podtech/llm-jp-corpus-v4-ja_patent huggingface dataset:
(57)【要約】【課題】  簡単且つ確実に弁孔の内面に付着した異物を洗浄できるフロート式スチームトラップを提供する。【解決手段】  本体１と蓋２で入口４と弁室３と出口５を形成する。弁室３の下部を出口５側に連通する弁孔１０を有する弁座部材７を設ける。弁孔１０を開閉するフロート１２を弁室３内に配置する。弁座部材７を球形に形成すると共に弁孔１０をＬ字状に形成した球形弁座部材７を本体１に回転操作可能に配置する。入口４と球形弁座部材７を連通するバイパス通路８を本体１に形成する。球形弁座部材７を外部から回転操作することによりＬ字状の弁孔１０の一端１０ａから他端１０ｂを通して弁室３と出口５側とを連通する第１状態とＬ字状の弁孔１０の他端１０ｂから一端１０ａを通してバイパス通路８と出口５側とを連通する第２状態とに切り替える。【選択図】図１
2010266030.tif 000002
【特許請求の範囲】
【請求項１】
ケーシングで入口と弁室と出口を形成し、弁室の下部に弁室を出口側に連通する弁孔を有する弁座部材を設け、弁孔を開閉するフロートを弁室内に配置したものにおいて、弁座部材を球形に形成すると共に弁孔をＬ字状に形成した球形弁座部材をケーシングに回転操作可能に配置し、入口と球形弁座部材を連通するバイパス通路をケーシングに形成し、球形弁座部材を外部から回転操作することによりＬ字状の弁孔の一端から他端を通して弁室と出口側とを連通する第１状態とＬ字状の弁孔の他端から一端を通してバイパス通路と出口側とを連通する第２状態とに切り替えることができることを特徴とするフロート式スチームトラップ。
【発明の詳細な説明】
【技術分野】
【０００１】
本発明は、蒸気配管系で発生する復水をフロートの浮上降下により自動的に排出するフロート式スチームトラップに関し、特に、フロートにより開閉される弁孔の内面に付着した異物を洗浄できるものに関する。
【背景技術】
【０００２】
従来のフロート式トラップは、例えば特許文献１に開示されている。これは、ケーシングで入口と弁室と出口を形成し、弁室の下部に弁室を出口側に連通する弁孔を有する弁座部材を設け、弁孔を開閉するフロートを弁室内に配置し、弁孔内に外部から手動で進退操作可能な操作部材を配置して操作部材の進退により弁孔の内面に付着した異物を掃除するものである。
【先行技術文献】
【特許文献】
【０００３】
【特許文献１】実公昭４９−３６７４７号公報
【発明の概要】
【発明が解決しようとする課題】
【０００４】
上記従来のフロート式トラップは、手動により操作部材を進退せしめるものであるために、弁孔の内面に付着した異物を掃除するのに手間隙の掛かる問題点があった。
【０００５】
したがって本発明が解決しようとする課題は、簡単且つ確実に弁孔の内面に付着した異物を洗浄できるフロート式スチームトラップを提供することである。
【課題を解決するための手段】
【０００６】
上記の課題を解決するために、本発明のフロート式スチームトラップは、ケーシングで入口と弁室と出口を形成し、弁室の下部に弁室を出口側に連通する弁孔を有する弁座部材を設け、弁孔を開閉するフロートを弁室内に配置したものにおいて、弁座部材を球形に形成すると共に弁孔をＬ字状に形成した球形弁座部材をケーシングに回転操作可能に配置し、入口と球形弁座部材を連通するバイパス通路をケーシングに形成し、球形弁座部材を外部から回転操作することによりＬ字状の弁孔の一端から他端を通して弁室と出口側とを連通する第１状態とＬ字状の弁孔の他端から一端を通してバイパス通路と出口側とを連通する第２状態とに切り替えることができることを特徴とするものである。
【発明の効果】
【０００７】
本発明によれば、球形弁座部材を外部から回転操作してＬ字状の弁孔の他端から一端を通してバイパス通路と出口側とを連通する第２状態とすることにより、入口側の高圧蒸気が高速でＬ字状の弁孔を他端から一端へ流下して弁孔の一端の内面を逆洗するので、通常は弁孔の弁室側である弁孔の一端の内面に付着した異物を簡単且つ確実に洗浄できるという効果を奏する。
【図面の簡単な説明】
【０００８】
【図１】本発明の実施の形態に係わるフロート式スチームトラップの断面図である。
【発明を実施するための形態】
【０００９】
以下、本発明の実施の形態について、図1を参照して説明する。本体１に蓋２をボルトで締結して内部に弁室３を有するケーシングを形成する。本体１は入口４と出口５を有すると共に入口４を下記の球形弁座部材７に連通するバイパス通路８と球形弁座部材７を出口５に連通する出口通路９を有する。入口４はバイパス通路８及び弁室３の上部に連通する。入口４と出口５は同一軸上に形成する。弁室３の下部にＬ字状の弁孔１０を開けた球形弁座部材７を配置する。球形弁座部材７は点線で示す弁軸１１を本体１から外部に貫通して連結することにより回転操作可能に取り付ける。
【００１０】
弁室５内に球形弁座部材７に離着座して弁孔１０の一端１０ａを開閉する中空球形のフロート１２を自由状態で配置する。フロート１２が弁孔１０の一端１０ａを閉じた位置で当接するフロート座１３をフロート１２の下方に設ける。
【００１１】
図示は球形弁座部材７により、弁孔１０の一端１０ａから他端１０ｂを通して弁室３と出口通路９が連通され、バイパス通路８と出口通路９が遮断された第１状態を示している。図示の位置から弁軸１１を回転操作して球形弁座部材７を９０度時計回り方向へ回転させることにより、弁孔１０の他端１０ｂから一端１０ａを通してバイパス通路８と出口通路９が連通され、弁室３と出口通路９が遮断された第２状態となる。
【００１２】
上記のフロート式スチームトラップの動作は次の通りである。通常は図示の第１状態に球形弁座部材７を回転させて使用する。入口４から流入した復水の一部はバイパス通路８内へ流下し、残余の復水は弁室３内へ流下する。バイパス通路８内へ流下した復水は、球形弁座部材７によって出口５側へ流下することはなく、バイパス通路８内を満たした復水は弁室３内へ溢流する。弁室３内に溜まった復水の液面に応じてフロート１２が浮上降下して球形弁座部材７に離着座して弁孔１０の一端１０ａを開閉する。弁孔１０の一端１０ａが開けられると弁室３内の復水が弁孔１０の一端１０ａから他端１０ｂ、出口通路９を通して出口７に排出され、弁孔１０の一端１０ａが閉じられると弁室３内の蒸気の漏出が防止される。
【００１３】
弁孔１０の一端１０ａの内面に付着した異物を洗浄する場合は、図示の第１状態から弁軸１１を回転操作して球形弁座部材７を９０度時計回り方向へ回転させることにより、弁孔１０の他端１０ｂから一端１０ａを通してバイパス通路８と出口通路９を連通し、弁室３と出口通路９を遮断した第２状態とする。これにより、入口４側の高圧蒸気が高速で弁孔１０の他端１０ｂから一端１０ａを流下して弁孔１０の一端１０ａを逆洗するので、弁孔１０の一端１０ａの内面に付着した異物を簡単且つ確実に洗浄できる。
【産業上の利用可能性】
【００１４】
本発明は、上記のフリーフロート式スチームトラップに限らずレバーフロート式スチームトラップにも利用することができる。
【符号の説明】
【００１５】
１ 本体
２ 蓋
３ 弁室
４ 入口
５ 出口
７ 球形弁座部材
８ バイパス通路
９ 出口通路
１０ Ｌ字状の弁孔
１０ａ Ｌ字状の弁孔の一端
１０ｂ Ｌ字状の弁孔の他端
１１ 弁軸
１２ フロート
１３ フロート座
【図１】
2010266030.tif 000003
(57)【要約】【課題】  熱交換効率を更に向上させることのできる熱交換器を得ること。【解決手段】  ジャケット部２に制御弁７を介して蒸気供給管３を接続する。ジャケット部２に制御弁２７を介して冷却水供給管５を接続する。反応釜１の外表面に多数の微細なくぼみを形成する。ジャケット部２の下端に、スチームトラップ４と開閉弁９を介して吸引手段６を接続する。吸引手段６を、液体エゼクタ１３と冷却水タンク１４と循環ポンプ１５で構成する。  反応釜１の外表面に多数の微細なくぼみを形成したことによって、熱交換流体と反応釜１の熱交換面積を増大させることができ、熱交換効率を更に向上させることができる。【選択図】図１
2010266141.tif 000002
【特許請求の範囲】
【請求項１】
熱交換容器へ弁を介して加熱冷却用の流体を供給すると共に、熱交換容器の内部を減圧状態に維持する吸引手段を接続して、熱交換容器の被熱交換物を加熱冷却するものにおいて、熱交換容器の表面に多数の微細なくぼみを形成して、当該多数のくぼみの表面に加熱冷却用の流体を供給することを特徴とする熱交換器。
【発明の詳細な説明】
【技術分野】
【０００１】
本発明は、熱交換容器の内部を減圧状態にして、供給される加熱冷却用の流体、具体的には、加熱用の蒸気あるいは冷却用の冷却水で被熱交換物を加熱冷却する熱交換器に関する。
【背景技術】
【０００２】
従来の熱交換器としての気化冷却装置は、気化冷却室に接続する冷却水供給管を、熱交換容器の外壁面の接線方向で且つ水平方向に接続したものであり、冷却水が熱交換容器の外壁面を旋回しながら流下することによって、冷却水の付着効果が向上して、冷却効率を高めることができるものである。
【０００３】
上記従来の熱交換器では、熱交換容器の外壁面の状態が滑らかな状態であり、冷却効率を所定値以上に向上させることができない問題があった。
【先行技術文献】
【特許文献】
【０００４】
【特許文献１】実公平５−３７１８１号公報
【発明の概要】
【発明が解決しようとする課題】
【０００５】
解決しようとする問題点は、熱交換容器の表面状態を改善して、熱交換効率を更に向上させることのできる熱交換器を得ることである。
【課題を解決するための手段】
【０００６】
本発明は、熱交換容器へ弁を介して加熱冷却用の流体を供給すると共に、熱交換容器の内部を減圧状態に維持する吸引手段を接続して、熱交換容器の被熱交換物を加熱冷却するものにおいて、熱交換容器の表面に多数の微細なくぼみを形成して、当該多数のくぼみの表面に加熱冷却用の流体を供給するものである。
【発明の効果】
【０００７】
本発明は、熱交換容器の表面に多数の微細なくぼみを形成して、この多数のくぼみの表面に加熱冷却用の流体を供給することによって、加熱冷却面としての熱交換容器の表面積を拡大することができ、加熱冷却の効率を向上させることができる。
また、気化冷却を行う場合は、くぼみの中に気泡の核が形成され易くなることによって、冷却水の気化が促進されて、冷却効率を向上させることができるという利点がある。
【図面の簡単な説明】
【０００８】
【図１】本発明に係る熱交換器の実施例を示す構成図である。
【発明を実施するための形態】
【０００９】
本発明は、熱交換容器の表面に多数の微細なくぼみを形成するものであるが、このくぼみは、ショット・ブラスト加工と呼ばれる、微小な鋼製の粒体を熱交換容器の表面に衝突させて形成することも、あるいは、ローレット加工と呼ばれる、熱交換容器の表面に細かなギザギザ状の切削加工を行って形成することもできる。
【実施例】
【００１０】
図１において、熱交換容器としての反応釜１のジャケット部２に接続した加熱用の蒸気供給管３と、冷却用の冷却水供給管５と、ジャケット部２の下方に連通したスチームトラップ４と吸引手段６とで熱交換器を構成する。
【００１１】
蒸気供給管３には、ジャケット部２へ供給する蒸気の量を制御するための制御弁７を取り付ける。蒸気供給管３のジャケット部２側端部２５には図示はしないがノズルを取り付けて、反応釜１の外表面２６へ蒸気が供給されるようにする。蒸気供給管３からジャケット部２へ供給された加熱用の蒸気によって、反応釜１内の被加熱物を加熱するものである。
【００１２】
冷却水供給管５にも制御弁２７を介在してジャケット部２の上部と接続する。冷却水供給管５のジャケット部２側端部２８も図示はしないがノズルを取り付けて、反応釜１の外表面２６へ冷却水が供給されるようにする。
【００１３】
反応釜１の外表面２６でジャケット部２内の部分には、図示はしないが多数の微細なくぼみを形成する。このくぼみの大きさは、幅と深さが０．１〜０．５ｍｍ程度で、断面形状がくさび形のものが好適である。
【００１４】
ジャケット部２の下端から管路８によりスチームトラップ４の入口側と接続する。スチームトラップ４と並列に開閉弁９を取り付ける。スチームトラップ４と開閉弁９の出口側は、吸引手段６を構成する液体エゼクタ１３の吸込室１０と接続する。
【００１５】
吸引手段６を、液体エゼクタ１３と冷却水タンク１４と循環ポンプ１５とで構成する。循環ポンプ１５の駆動によって冷却水タンク１４内の冷却水を液体エゼクタ１３へ供給することによって、吸込室１０で所定の吸引力を発生するものである。
【００１６】
冷却水タンク１４の上部に冷却水補給管１６を接続すると共に、循環ポンプ１５の吐出側の管路を分岐して余剰水排出管１７を接続する。
【００１７】
反応釜１内に配置された図示しない被加熱物を加熱する場合は、蒸気供給管３と制御弁７からジャケット部２へ所定量の蒸気を供給することによって、被加熱物が蒸気によって加熱される。加熱により凝縮した復水は、ジャケット部２下端の管路８からスチームトラップ４を通り、更に、液体エゼクタ１３から冷却水タンク１４へと至る。
【００１８】
反応釜１の外表面には、多数の微細なくぼみを形成しているために、加熱用の熱交換面積が増えることによって、加熱効率を向上することができる。
【００１９】
反応釜１内の被冷却物を冷却する場合は、冷却水供給管５と制御弁２７からジャケット部２へ所定量の冷却水を供給することによって、被冷却物の熱により冷却水が蒸発気化してその蒸発線熱でもって被冷却物を冷却する。
【００２０】
反応釜１の外表面には、多数の微細なくぼみを形成してあるために、冷却用の熱交換面積が増えることによって、冷却効率を向上することができる。
【産業上の利用可能性】
【００２１】
間接的な加熱と冷却を交互に行うさまざまな熱交換器として適用できる。
【符号の説明】
【００２２】
１  反応釜
２  ジャケット部
３  蒸気供給管
４  スチームトラップ
５  冷却水供給管
６  吸引手段
７  制御弁
１０  吸込室
１３  液体エゼクタ
１４  冷却水タンク
１５  循環ポンプ
２６  反応釜の外表面
【図１】
2010266141.tif 000003
(57)【要約】【課題】  熱交換面が水平状であっても、効率良く冷却を行うことのできる気化冷却装置を得ること。【解決手段】  熱交換容器１に自動弁２７を介して冷却水供給管５を接続する。同じく、熱交換容器１に自動弁１６を介して圧縮空気供給管１２を接続する。それぞれの供給管５，１２の熱交換容器１側の端面に、冷却流体を上方へ噴射する供給口２４，２５を取り付ける。熱交換容器１の上面に熱交換面２を配置する。熱交換容器１の下端に、スチームトラップ４と開閉弁９を介して吸引手段６を接続する。  ノズル２４，２５から冷却水と圧縮空気を交互に熱交換面２へ噴射することで、冷却効率を向上させることができる。【選択図】図１
2010266144.tif 000002
【特許請求の範囲】
【請求項１】
熱交換容器へ弁を介して冷却水を供給すると共に、熱交換容器の内部を減圧状態に維持する吸引手段を接続して、熱交換容器の被熱交換物を冷却するものにおいて、熱交換容器の熱交換面を水平状に配置して、当該水平状の熱交換面の表面に対向して冷却水供給口と圧縮空気供給口を設けて、当該冷却水供給口と圧縮空気供給口から交互に冷却水と圧縮空気を熱交換面の表面に供給することを特徴とする気化冷却装置。
【発明の詳細な説明】
【技術分野】
【０００１】
本発明は、熱交換容器の内部を減圧状態にして、供給される冷却水で被熱交換物を冷却する気化冷却装置に関する。
【背景技術】
【０００２】
従来の気化冷却装置は、気化冷却室に接続する冷却水供給管を、熱交換容器の外壁面の接線方向で且つ水平方向に接続したものであり、冷却水が熱交換容器の外壁面を旋回しながら流下することによって、冷却水の付着効果が向上して、冷却効率を高めることができるものである。
【０００３】
上記従来の気化冷却装置では、熱交換容器の熱交換面が水平状である場合に、供給した冷却水が熱交換面から瞬時に滴下してしまい、気化冷却を効率良く実施することができない問題があった。
【先行技術文献】
【特許文献】
【０００４】
【特許文献１】実公平５−３７１８１号公報
【発明の概要】
【発明が解決しようとする課題】
【０００５】
解決しようとする問題点は、熱交換容器の熱交換面が水平状の場合であっても、効率良く気化冷却を行うことのできる気化冷却装置を得ることである。
【課題を解決するための手段】
【０００６】
本発明は、熱交換容器へ弁を介して冷却水を供給すると共に、熱交換容器の内部を減圧状態に維持する吸引手段を接続して、熱交換容器の被熱交換物を冷却するものにおいて、熱交換容器の熱交換面を水平状に配置して、当該水平状の熱交換面の表面に対向して冷却水供給口と圧縮空気供給口を設けて、当該冷却水供給口と圧縮空気供給口から交互に冷却水と圧縮空気を熱交換面の表面に供給するものである。
【発明の効果】
【０００７】
本発明は、水平状の熱交換面の表面に、冷却水と圧縮空気を交互に供給することにより、熱交換面に供給された冷却水が、その後に供給される圧縮空気によって熱交換面から滴下しにくくなり、熱交換面で確実に熱交換することができる。また、圧縮空気を供給することで、冷却水の熱交換面での蒸発気化が促進されて、冷却効率を向上させることができる。
【図面の簡単な説明】
【０００８】
【図１】本発明に係る気化冷却装置の実施例を示す構成図である。
【発明を実施するための形態】
【０００９】
本発明は、熱交換面に冷却水と圧縮空気を供給口から供給するものであるが、この供給口は、共通の供給口から冷却水と圧縮空気を交互に供給することも、あるいは、別個の供給口からそれぞれの流体を交互に供給することもできる。
【実施例】
【００１０】
図１において、横長で直方体状の熱交換容器１と、この熱交換容器１の上端面に水平状に形成した熱交換面２と、熱交換面２の下方に取り付けた冷却水と圧縮空気の供給口２４，２５と、熱交換容器１の下方に連通したスチームトラップ４と吸引手段６とで気化冷却装置を構成する。なお、本実施例においては、気化冷却のみならず、加熱用の蒸気を蒸気供給管３から熱交換容器１へ供給することで、熱交換面２を加熱することもできる例を示す。
【００１１】
蒸気供給管３には、熱交換容器１へ供給する蒸気の量を制御するための制御弁７を取り付ける。蒸気供給管３から熱交換容器１へ供給された加熱用の蒸気によって、熱交換面２を加熱するものである。
【００１２】
熱交換容器１に冷却水を供給する冷却水供給管５を接続する。冷却水供給管５には自動弁２７を介在して、熱交換容器１の下面の供給口２４，２５と接続する。自動弁２７が開弁することにより、供給口２４，２５から熱交換面２へ冷却水が噴射されるものである。
【００１３】
熱交換容器１に圧縮空気を供給する圧縮空気供給管１２を接続する。この圧縮空気供給管１２にも自動弁１６を介在して、供給口２４，２５と接続する。自動弁１６が開弁することにより、供給口２４，２５から熱交換面２へ圧縮空気が噴射されるものである。
【００１４】
熱交換容器１の下端から管路８によりスチームトラップ４の入口側と接続する。スチームトラップ４と並列に開閉弁９を取り付ける。スチームトラップ４と開閉弁９の出口側は、吸引手段６を構成する液体エゼクタ１３の吸込室１０と接続する。
【００１５】
吸引手段６を、液体エゼクタ１３と冷却水タンク１４と循環ポンプ１５とで構成する。循環ポンプ１５の駆動によって冷却水タンク１４内の冷却水を液体エゼクタ１３へ供給することによって、吸込室１０で所定の吸引力を発生するものである。
【００１６】
冷却水タンク１４の上部に、冷却水供給管５を分岐した冷却水補給管３０を接続すると共に、循環ポンプ１５の吐出側の管路を分岐して余剰水排出管１７を接続する。
【００１７】
熱交換面２を加熱する場合は、蒸気供給管３と制御弁７から熱交換容器１内へ所定量の蒸気を供給することによって、蒸気によって加熱される。加熱により凝縮した復水は、熱交換容器１下端の管路８からスチームトラップ４を通り、更に、液体エゼクタ１３から冷却水タンク１４へと至る。
【００１８】
熱交換面２を冷却する場合は、冷却水供給管５の自動弁２７を開弁して供給口２４，２５から熱交換面２の下表面へ所定量の冷却水を供給し、次いで、自動弁２７を閉弁して、圧縮空気供給管１２の自動弁１６を開弁して供給口２４，２５から熱交換面２へ圧縮空気を供給することによって、熱交換面２の下面の冷却水が瞬時に滴下することがなく、熱交換面２の熱により冷却水が蒸発気化してその蒸発線熱でもって冷却することで、冷却効率を向上することができる。
【産業上の利用可能性】
【００１９】
間接的な気化冷却を行うさまざまな気化冷却装置として適用できる。
【符号の説明】
【００２０】
１  熱交換容器
２  熱交換面
５  冷却水供給管
６  吸引手段
１０  吸込室
１２  圧縮空気供給管
１３  液体エゼクタ
１４  冷却水タンク
１５  循環ポンプ
２４，２５  供給口
【図１】
2010266144.tif 000003
(57)【要約】【課題】  熱交換面が水平状であっても、効率良く冷却を行うことのできる気化冷却装置を得ること。【解決手段】  熱交換容器１に制御弁２７を介して冷却水供給管５を接続する。冷却水供給管５の熱交換容器１側の端面に、冷却水を上方へ噴射するノズル２４，２５を取り付ける。熱交換容器１の上面に熱交換面２を配置する。熱交換面２の下部面に含水部材１１を取り付ける。熱交換容器１の下端に、スチームトラップ４と開閉弁９を介して吸引手段６を接続する。吸引手段６を、液体エゼクタ１３と冷却水タンク１４と循環ポンプ１５で構成する。  ノズル２４，２５から噴射される冷却水は、含水部材１１に溜め置かれることで、冷却効率を向上させることができる。【選択図】図１
2010266143.tif 000002
【特許請求の範囲】
【請求項１】
熱交換容器へ弁を介して冷却水を供給すると共に、熱交換容器の内部を減圧状態に維持する吸引手段を接続して、熱交換容器の被熱交換物を冷却するものにおいて、熱交換容器の熱交換面を水平状に配置して、当該水平状の熱交換面の表面に、供給された冷却水の一部を溜め置く含水部材を取り付けたことを特徴とする気化冷却装置。
【発明の詳細な説明】
【技術分野】
【０００１】
本発明は、熱交換容器の内部を減圧状態にして、供給される冷却水で被熱交換物を冷却する気化冷却装置に関する。
【背景技術】
【０００２】
従来の気化冷却装置は、気化冷却室に接続する冷却水供給管を、熱交換容器の外壁面の接線方向で且つ水平方向に接続したものであり、冷却水が熱交換容器の外壁面を旋回しながら流下することによって、冷却水の付着効果が向上して、冷却効率を高めることができるものである。
【０００３】
上記従来の気化冷却装置では、熱交換容器の熱交換面が水平状である場合に、供給した冷却水が熱交換面から瞬時に滴下してしまい、気化冷却を効率良く実施することができない問題があった。
【先行技術文献】
【特許文献】
【０００４】
【特許文献１】実公平５−３７１８１号公報
【発明の概要】
【発明が解決しようとする課題】
【０００５】
解決しようとする問題点は、熱交換容器の熱交換面が水平状の場合であっても、効率良く気化冷却を行うことのできる気化冷却装置を得ることである。
【課題を解決するための手段】
【０００６】
本発明は、熱交換容器へ弁を介して冷却水を供給すると共に、熱交換容器の内部を減圧状態に維持する吸引手段を接続して、熱交換容器の被熱交換物を冷却するものにおいて、熱交換容器の熱交換面を水平状に配置して、当該水平状の熱交換面の表面に、供給された冷却水の一部を溜め置く含水部材を取り付けたものである。
【発明の効果】
【０００７】
本発明は、水平状の熱交換面の表面に、含水部材を取り付けたことにより、供給された冷却水の一部がこの含水部材に溜め置かれることによって、熱交換面から冷却水が瞬時に滴下してしまうことを防止することができ、冷却効率を向上させることができる。
【図面の簡単な説明】
【０００８】
【図１】本発明に係る気化冷却装置の実施例を示す構成図である。
【発明を実施するための形態】
【０００９】
本発明は、水平状の熱交換面の表面に含水部材を取り付けるものであるが、この含水部材としては、布を積層したものや、スポンジ状の発泡樹脂や発泡金属、あるいは、金属の細線をたわし状に積層したもの等を用いることができる。
【実施例】
【００１０】
図１において、横長で直方体状の熱交換容器１と、この熱交換容器１の上端面に水平状に形成した熱交換面２と、熱交換面２の下部表面に取り付けた含水部材１１と、熱交換容器１に接続した冷却水供給管５と、熱交換容器１の下方に連通したスチームトラップ４と吸引手段６とで気化冷却装置を構成する。なお、本実施例においては、気化冷却のみならず、加熱用の蒸気を蒸気供給管３から熱交換容器１へ供給することで、熱交換面２を加熱することもできる例を示す。
【００１１】
蒸気供給管３には、熱交換容器１へ供給する蒸気の量を制御するための制御弁７を取り付ける。蒸気供給管３から熱交換容器１へ供給された加熱用の蒸気によって、熱交換面２を加熱するものである。含水部材１１として、布の積層材や、スポンジ状の発泡樹脂や発泡金属、あるいは、金属の細線をたわし状に積層したものを用いることで、熱交換面２への蒸気の供給が全て阻止されることなく加熱できるものである。
【００１２】
冷却水供給管５にも制御弁２７を介在して熱交換容器１の下面と接続する。冷却水供給管５の熱交換容器１側端部に、冷却水を上方の含水部材１１の方向へ噴射するノズル２４，２５を取り付ける。
【００１３】
本実施例においては、ノズル２４，２５を熱交換容器１の下端面に取り付けた例を示したが、熱交換容器１の側壁面にもノズルを取り付けることができる。
【００１４】
熱交換容器１の下端から管路８によりスチームトラップ４の入口側と接続する。スチームトラップ４と並列に開閉弁９を取り付ける。スチームトラップ４と開閉弁９の出口側は、吸引手段６を構成する液体エゼクタ１３の吸込室１０と接続する。
【００１５】
吸引手段６を、液体エゼクタ１３と冷却水タンク１４と循環ポンプ１５とで構成する。循環ポンプ１５の駆動によって冷却水タンク１４内の冷却水を液体エゼクタ１３へ供給することによって、吸込室１０で所定の吸引力を発生するものである。
【００１６】
冷却水タンク１４の上部に、冷却水供給管５を分岐した冷却水補給管１６を接続すると共に、循環ポンプ１５の吐出側の管路を分岐して余剰水排出管１７を接続する。
【００１７】
熱交換面２を加熱する場合は、蒸気供給管３と制御弁７から熱交換容器１内へ所定量の蒸気を供給することによって、蒸気によって加熱される。加熱により凝縮した復水は、熱交換容器１下端の管路８からスチームトラップ４を通り、更に、液体エゼクタ１３から冷却水タンク１４へと至る。
【００１８】
熱交換面２を冷却する場合は、冷却水供給管５と制御弁２７とノズル２４，２５から熱交換面２の下表面の含水部材１１へ所定量の冷却水を供給することによって、熱交換面２の熱により冷却水が蒸発気化してその蒸発線熱でもって冷却する。
【００１９】
水平状の熱交換面２に含水部材１１を取り付けたことにより、ノズル２４，２５から供給される冷却水が、この含水部材１１に溜め置かれることで、熱交換面２の熱を確実に奪うことによって、冷却効率を向上することができる。
【産業上の利用可能性】
【００２０】
間接的な気化冷却を行うさまざまな気化冷却装置として適用できる。
【符号の説明】
【００２１】
１  熱交換容器
２  熱交換面
５  冷却水供給管
６  吸引手段
１０  吸込室
１１  含水部材
１３  液体エゼクタ
１４  冷却水タンク
１５  循環ポンプ
２４，２５  ノズル
【図１】
2010266143.tif 000003
(57)【要約】      （修正有）【課題】省エネのことを考慮に入れて、回転扉の開閉する範囲を必要最小限にとどめながらドアポケット内の食品類を手間取ることなくとりだす。【解決手段】冷蔵庫本体１に備えられている大きな回転扉を閉めた状態からでも、ドアポケット内に収納してある食品類が、それぞれの引き出しから簡単にして速やかに出し入れできるようにするため、同冷蔵庫の回転扉２に食品類の大きさに見合った引き出し型のドアポケット３を設けた。【選択図】図１
2010266181.tif 000002
【特許請求の範囲】
【請求項１】
冷蔵庫本体に備えられている大きな回転扉に、食品類の大きさに見合った引き出し型のドアポケットを設けた冷蔵庫。
【発明の詳細な説明】
【技術分野】
【０００１】  本発明は、冷蔵庫のドアポケット内に収納してある食品類が、簡単にして速やかに出し入れできるようにするため、冷蔵庫本体の回転扉に食品類の大きさに見合った引き出し型のドアポケットを設けた冷蔵庫に関するものである。
【背景技術】
【０００２】  従来の冷蔵庫は、ドアポケット内に収納してある食品類を出し入れする場合、冷蔵庫本体に備えられている大きな回転扉を開閉することによって行なわれていた。
【発明の概要】
【発明が解決しようとする課題】
【０００３】  従来の冷蔵庫は、冷蔵庫本体に備えられている大きな回転扉を開閉しなければ、ドアポケット内の食品類を出し入れすることができなかった。中でも、目当てとする食品類が小物である場合、あるいは、類似する食品類が複数ある場合では、往々にして出し入れに手間の掛かることが多かった。更に、当該回転扉をやむなく開閉することによって、キッチンスペースが狭まってしまうことや、冷蔵庫内の冷気が大量に流失してしまうなどの欠点も生じていた。結果、ドアポケット内の食品類を出し入れするときは、特に省エネのことを考慮に入れて、回転扉の開閉する範囲を必要最小限にとどめながら作業しなければならなかった。同時に、その作業時間に関しても、手間取らないように素早く行なう必要性があった。
【課題を解決するための手段】
【０００４】  本発明は、冷蔵庫本体に備えられている大きな回転扉を閉めた状態からでも、ドアポケット内に収納してある食品類が、それぞれの引き出しから簡単にして速やかに出し入れできるようにするため、同冷蔵庫の回転扉に食品類の大きさに見合った引き出し型のドアポケットを設けて、問題点を解決している。
【発明の効果】
【０００５】  冷蔵庫本体の回転扉を閉めた状態からでも、当該引き出し型ドアポケットを利用することによって、ドアポケット内の食品類が簡単にして速やかに出し入れできるようになり、一段と利便性が向上した。更に、この発明はそれぞれの引き出しに的を絞って、目当てとする食品類が出し入れできるため、従来のように、大きな回転扉を開けてから食品類を探し出す作業に比べて、冷気が無駄に流失せず、いわゆる消エネに関しても効果的な冷蔵庫である。
【図面の簡単な説明】
【０００６】
【図１】本発明の実施形態における回転扉を閉めたときの斜視図。
【図２】本発明の実施形態における回転扉を開けたときの斜視図。
【発明を実施するための形態】
【０００７】  本発明は、冷蔵庫のドアポケット内に収納してある食品類が、簡単にして速やかに出し入れできるようにするため、冷蔵庫本体の回転扉に食品類の大きさに見合った引き出し型のドアポケットを設けた冷蔵庫である。
なお、当該冷蔵庫は通常の冷蔵庫と同じように、回転扉を開閉する方法でもドアポケット内の食品類が出し入れすることができるため、引き出しの利用と合わせて二通りの利用方法を兼ね備えている。
【実施例】
【０００８】  冷蔵庫の回転扉を閉めた状態であっても、それぞれの引き出し型ドアポケットに収納してある食品類がスムーズに出し入れできるようにするため、当該引き出しの前面部分に食品名のシール又はイラストのシールを貼ることによって、より利便性を向上させることもできる。【０００９】  冷蔵庫の回転扉を閉めた状態であっても、それぞれの引き出し型ドアポケットに収納してある食品類がスムーズに出し入れできるようにするため、当該引き出しの前面部分を透明窓にすることによって、より利便性を向上させることもできる。【００１０】  本発明は、家庭用冷蔵庫のほか業務用冷蔵庫など全ての冷蔵庫に応用が可能である。
【産業上の利用可能性】
【００１１】
【符号の説明】
【００１２】    １  冷蔵庫本体
２  回転扉
３  引き出し型ドアポケット
【図１】
2010266181.tif 000003
【図２】
2010266181.tif 000004
(57)【要約】【課題】眼鏡鼻当てのプラスチックなどの素材部分と、肌の直接の接触によるかゆみ、発疹、かぶれなどの身体的不都合を緩和するための、コットン素材を用いた眼鏡鼻当てパッドを提供する。【解決手段】  眼鏡鼻当ての部分に、コットン素材のパッドを貼付することにより汗を吸収し、鼻当てのプラスチックや金属が肌に与える刺激を緩和する眼鏡鼻当てパッド。【選択図】図１
2010015118.tif 000002
【特許請求の範囲】
【請求項１】
眼鏡鼻当てのプラスチックなどの素材部分と、肌の密着による不快感とかゆみなどの身体的不都合を緩和するために、コットン素材を用いた眼鏡鼻当てパッド。
【発明の詳細な説明】
【技術の分野】
【０００１】  本発明は、眼鏡鼻当てのプラスチックなどの素材部分と、肌の直接の接触によるかゆみ、発疹、かぶれなどの身体的不都合を緩和するための、コットン素材を用いた眼鏡鼻当てパッドに関するものである。
【背景技術】
【０００２】  従来、眼鏡装着の際、鼻当ての部分が眼鏡を固定させるための支点となり、その結果その素材であるプラスチックや金属などが、鼻を押さえるほどに強く肌と密着することになっていた。
なお、使用者の鼻に接触する側の面に複数の凸形状部を設けることにより、鼻に残される赤跡や鼻との接触部の痛みが軽減されるといった眼鏡用鼻パッドが知られている。（特許参考文献１参照。）
【特許参考文献１】
特開２００５−３２６５５８号公報
【発明の開示】
【発明が解決しようとする課題】
【０００３】  そのため、次のような問題点があった。
（イ）鼻当ての部分に吸水力がないため発汗したときの不快感を免れない。汗によって眼      鏡がすべりやすくなることもある。
（ロ）鼻当ての部分は、プラスチックや金属でできている場合が多く、過敏症肌の場合に      はかゆみ、発疹、かぶれなどの身体的不都合をきたすことがある。
本発明は以上の問題点を解決しようとするものである。
【課題を解決するための手段】
【０００４】  眼鏡の鼻当ての部分に、吸水性がありかつ肌になじみやすいコットン素材を用いたパッドを貼付する。それによって、汗を吸収し、プラスチックや金属部品と肌の直接接触によって生じることのある身体的不都合を解決する。以上を特徴とする眼鏡鼻当てパッドである。
【発明の効果】
【０００５】  鼻当ての部分にコットン素材の薄いパッドを貼ることによって、鼻当ての触れる肌の部分に天然素材の下着を着けたような効果をもたらす。（汗の吸収・プラスチックや金属などによる肌への刺激の緩和など）
【発明を実施するための最良の形態】
【０００６】  以下、本発明の実施の形態を説明する。
（イ）形        楕円形
大きさ      米粒程度（鼻当て部分にすっぽりと隠れる大きさであること）
厚み        １ｍｍ程度
（ロ）構成
１  鼻当てパッド表面（肌に接触する部分）
コットン素材の不織布様のシート
２  鼻当てパッド裏面（鼻当てに接着させる部分）
接着剤を塗布可能なペーパー様の薄いシート
３  詰め物（吸湿、クッション部分）
コットン
４  接着剤（２を眼鏡鼻当てに接着させるため）
使用後はずしやすいように、２全面にではなく二箇所ほどに円形に薄                  く塗る
１〜３は肌への刺激を避けるため、加圧などによる接着が望ましい。
本発明は、以上の構成よりなっている。
本発明を使用するときは、眼鏡鼻当ての中央部分に貼付する。
【図面の簡単な説明】
【０００７】
【図１】本発明の使用状態を示す斜視図
【図２】本発明の断面図
【図３】本発明の正面図
【図４】本発明の裏面図
【符号の説明】
【０００８】    １  鼻当てパッド表面
２  鼻当てパッド裏面
３  詰め物
４  接着剤
【図１】
2010015118.tif 000003
【図２】
2010015118.tif 000004
【図３】
2010015118.tif 000005
【図４】
2010015118.tif 000006
(57)【要約】【課題】近年の反射鏡製作技術の進歩により反射型望遠鏡の価格は同口径の屈折型望遠鏡に比べて格段と安価なものとなっている。しかし、これは研磨の容易な小口径望遠鏡に限られ、数１０センチ以上の大口径のものでは未だ高価なものになる。このことは大口径光学望遠鏡が必要とされる天文学、観測的宇宙論や宇宙物理学の発展にとっての負の要因である。【解決手段】大小２枚の鏡面平板それぞれをＵ字状に放物線に沿って折り曲げ、１枚目を主鏡Ｍ１とし、小さな２枚目を副鏡Ｍ２として用い、主鏡と副鏡それぞれの放物線回転対称軸を９０度ずらしての凹面が互いに向かい合わせで設置することで、主鏡によって焦点が線状に集光された平行入射光がさらに副鏡により点に集光され、従来の放物面鏡と同等の光学的集光能力のある反射鏡が実現できる。この反射鏡は従来の研磨技術を必要としないため製作が極めて容易であり、鏡面金属板さえあれば安価で且つ短時間で製作可能である。【選択図】図１
2010015116.tif 000002
【特許請求の範囲】
【請求項１】
大小２枚の鏡面平板それぞれをＵ字状に湾曲させたもので大きいものを主鏡Ｍ１とし、小さいものを副鏡Ｍ２として用い、それぞれの対向した凹面放物線断面が９０度回転した位置に配置することで、主鏡によって焦点が線状に集光された平行入射光がさらに副鏡により点状に集光し、従来の放物面鏡と同等の光学的集光能力が得られる反射望遠鏡。
【発明の詳細な説明】
【技術分野】
【０００１】  本発明は反射望遠鏡で使用されるすり鉢状の放物面鏡の代わりに、平板をＵ字状に湾曲した２枚の凹面鏡を対向させた形の望遠鏡あるいは集光鏡に関するものである。
【背景技術】
【０００２】  放物面鏡を使うニュートン式反射望遠鏡の発明以来、いくつもの改良型反射望遠鏡が開発されてきたが放物面反射鏡研磨技術に要求される精度の高さとその作業工程の大変さは今日に至るまで変わるものではない。そのために特に中大型望遠鏡は高価なものになり、中型以上の自作製作に至っては殆ど不可能である。特に大型の反射鏡の場合は数トンから数十トンに及ぶ自重の為に重力による鏡面の変形が問題となり、その変形も観測する天体の高さにより異なるため変形補正はスバル望遠鏡などの特殊な最新の制御システムを積んだもの以外は不可能である。
【発明の開示】
【発明が解決しようとする課題】
【０００３】  既存の大型放物面鏡は熟練された研磨技術が必要であり、莫大な製作時間とコストがかかる。また、大型の反射鏡は自重による鏡面変形の問題がある。このような点から、中規模以上の反射望遠鏡は技術的コスト的面から大掛かりな組織がなければ製作は困難である。そこで、莫大な資金のかかる反射鏡製作を廉価にかつ簡便にでき、従来の主鏡より軽量制作可能な方法があるならば一般市民レベルでも中型以上の反射望遠鏡を所有したり、自作したり出来るようになる筈である。
【課題を解決するための手段】
【０００４】  図１の様な長方形鏡面板Ｍ１を放物線ｙ＝ａｘ２に沿りＵ字に折り曲げたもの（主鏡）の凹面側は、平行入射光をその放物線の対称軸上の焦点ｙ＝１／４ａに集光させ（図２）、その放物線の作る焦点は主鏡Ｍ１のｚ−軸方向に沿っての連続な線上にある。ここで主鏡Ｍ１からｙ＝１／４ａの距離のｚ−軸方向に線状に延びた焦点を図１の第二の凹面反射鏡Ｍ２（副鏡）で一点に集光できたならばその集光する焦点で平行入射光の像を結ぶことが出来る。そのための副鏡Ｍ２の凹面湾曲の“ある関数φ”を見出す計算を以下に行う。【０００５】  図２は図１のｚ方向から見たＭ１と焦点の位置関係である。Ｍ１に入射した平行光はｚ−軸方向のｙ＝１／４ａの線上に焦点を結ぶが、その光路上に、“ある関数φ”に湾曲した凹面鏡Ｍ２を設置することで”一点”に収束した焦点Ａを結べたと仮定する。
図３は図１のｘ方向から見たＭ１とＭ２の位置関係である。ここで便宜上ｚ−軸をｘ’−軸、ｙ−軸を−ｙ’−軸と書き換え、新たな座標系を定義する。Ｍ１から距離Ｌの位置に原点Ｏ’を持つ座標系を図３のように考えｘ’−軸、それに垂直なＭ１に向かう座標軸をｙ’とする。Ｍ２のある関数φがｙ’−軸と交わる点をβ（０，β）、平行入射光が反射鏡により一点に収束する焦点の座標をＡ（０，Ａ）とする。
図３のようにＭ１のｘ１’の位置に入射した平行入射光が点Ａで焦点を結ぶ為には、Ｍ１，Ｍ２を経て焦点Ａまで至る距離ｄは明らかにＭ１の焦点距離１／４ａに等しいことが要請され、
2010015116.tif 000003
と書ける。この式を成立させるＭ２の“ある関数φ”を求める。この式は特別な座標ｘ１’のみならず一般のｘ’についての成立が要請されるので（１）式を変形してφ（ｘ’）について解くと
2010015116.tif 000004
であるから
2010015116.tif 000005
但し、
2010015116.tif 000006
（１）式に（２）を入れて
2010015116.tif 000007
となる。ここで、１／４αはＭ２の放物線φの焦点距離である。このようにｄがｘ’に依存しないで入射光をｙ’−軸上の一点Ａに収束させるためのＭ２の解析解φが存在するので、この複合鏡のシステムは集光レンズとして機能し、それはＭ２に（２）式のような放物線を選べばよいことがわかる。
【実施例】
【０００６】  この計算を使用して、焦点距離ｆ＝４００ｍｍの反射望遠鏡を設計してみる。ｆ＝１／４ａであるからＭ１の放物線は
2010015116.tif 000008
の関数になる。Ａ＝２２０ｍｍ，Ｌ＝２００ｍｍの場合
2010015116.tif 000009
であるから、Ｍ２の放物線φは
2010015116.tif 000010
となる。
この設計ではＬ＜Ａなので焦点Ａは図１の様にＭ１の後ろ側にあるため、Ｍ１鏡の中心に穴を開けＭ１の背後で観測できる形のものができる。但し、Ｌ＜Ａの場合はＭ１とＭ２の距離が近いため、Ｍ１の反射光をすべてＭ２で受けるためにはＭ２の幅を大き目に設計しなくてはならないのでＭ１への入射光がＭ２に大きく遮られてしまい集光能力的には不利である。
しかし、Ｌ＞Ａの設計ではＭ１から離れてＭ２を小さく作れるのでＬ＜Ａの場合よりは集光能力的には有利であるが、Ｍ１とＭ２の間に焦点Ａが来るため斜鏡を用いて焦点を望遠鏡の側面に逃がしてやり、側面で観測する形にする必要がある。
【発明の効果】
【０００７】  複合放物面式望遠鏡の開発は小型から大型の望遠鏡まで従来の難しいすり鉢型放物面の研磨技術が要らないため短時間で廉価に製作が可能である。
【０００８】  この方法を用いれば中型の反射望遠鏡でも自作可能になり、天文学の普及と発展に貢献できる。
【０００９】  また、観測的宇宙論で開発が望まれている大口径望遠鏡の開発も容易になる。
【００１０】  鏡面が軽量に製作できるため、重力による鏡面歪みを軽減できる。また、歪み補正も従来のガラスレンズの物よりも容易に出来る。
【図面の簡単な説明】
【００１１】
【図１】複合放物面式望遠鏡の模式図を示した図面である。
【図２】複合放物面式望遠鏡内のｚ方向から見た光路図を示した図面である。
【図３】複合放物面式望遠鏡内のｘ方向から見た光路図を示した図面である。
【符号の説明】
１・・主鏡Ｍ１
２・・副鏡Ｍ２
【図１】
2010015116.tif 000011
【図２】
2010015116.tif 000012
【図３】
2010015116.tif 000013
(57)【要約】【課題】  押印という事務手続き上欠かせない作業を無味乾燥で面白味のないものから、愉快で楽しい作業に改善すること。【解決手段】  朱肉やスタンプ台の下に、印鑑を押し付ける度に持ち主の好みの音声を発生する装置を組み込むことによって、簡単に押印を楽しい作業に変え、また、個性を表現する手段にも成り得るように変化させる。【選択図】図１
2010015162.tif 000002
【特許請求の範囲】
【請求項１】
音声発生装置付きの朱肉・スタンプ台であって、朱肉・スタンプ面の下の本体ケース（Ｋ）との間に、音声合成ＬＳＩと制御基板（４）、マイクロスピーカー（１）、ボタン電池（３）、及び、小型スイッチ（５）を設け、同様に、朱肉・スタンプ面の下側の本体ケース（Ｋ）との間に、朱肉・スタンプ面を受けて支えるようにコイルバネ（６）を装着し、印鑑などによって朱肉・スタンプ面が押されると、下に押し下げられて小型スイッチが押され、制御基板と音声合成ＬＳＩ（４）が作動してマイクロスピーカー（１）から音声が再生され、印鑑などの上からの力が加わらなくなったら、装置にはコイルバネ（６）が装着されているので、朱肉・スタンプ面が元の位置へ上がって復帰し、小型スイッチ（５）がリセットされることを特徴とする、音声発生装置付きの朱肉・スタンプ台。
【発明の詳細な説明】
【技術分野】
【０００１】  本発明は、朱肉やスタンプ台に印鑑を押しつける際に加える力を利用して音声を発生させる装置に関するものである。
【背景技術】
【０００２】  従来は、朱肉ケースやスタンプ台などは単に顔料やインクを付けるためだけに使用するもので、音声を発生させるものではなかった。
【発明の概要】
【発明が解決しようとする課題】
【０００３】  そのため、押印という作業は事務手続き上欠かせない作業ではあるが、作業自体は無味乾燥で何ら面白味のない退屈なものであった。
【課題を解決するための手段】
【０００４】  そこで、押印を手軽に楽しい作業に変え、また、個性を発揮する機会にも変え得るものとするために、印鑑を押しつける度に持ち主の好みの音声を発生させることが出来るように、朱肉やスタンプ台にこの装置を内蔵させる。【０００５】  音声の種類としては、キャラクターの声や動物や昆虫の鳴き声。あるいは、電子音や楽器の音。さらに、効果音などのあらゆるものが活用可能である。また、それらの音を組み合わせをランダムに再生させることも可能となる。
【発明の効果】
【０００６】  印鑑をスタンプ台に押し付ける度に自分が選んだ音声を発するので、押印の作業自体が楽しいものとなり、その度に周囲に和やかな雰囲気をかもし出すことが出来る。
【発明を実施するための形態】
【０００７】  朱肉やスタンプ台の下に組み込み、朱肉面やインク面を印鑑で押すことでスイッチが入り音声を発生させることができるようにする。また、装置にはコイルバネや板バネを付けておいて、印鑑の力が加わらなくなったら元の位置へ復帰し、スイッチがリセットされるようにする。
【図面の簡単な説明】
【０００８】
【図１】  装置を組み込んだ朱肉やスタンプ台の斜視図である。
【図２】  朱肉やスタンプ台の構造の側面図である。
【符号の説明】
【０００９】１      マイクロスピーカー
２      回路
３      ボタン電池
４      音声合成ＬＳＩ，制御基板
５      小型スイッチ
６      コイルバネ
Ｋ      収納ケース
【図１】
2010015162.tif 000003
【図２】
2010015162.tif 000004
(57)【要約】      （修正有）【課題】安価でコンパクトな読み書き可能な記憶装置を持たないＵＳＢ接続の着脱式デバイスによりコンピューターに接続するだけでインターネットのサイトに接続できるデバイスを提供する。【解決手段】ＵＳＢデバイスはコンピューターからはＣＤ−ＲＯＭと認識され、ＡＵＴＯＲＵＮ機能により予め同デバイスに設定されたインターネットのサイトにコンピューターを接続する。AＵＴＯＲＵＮ機能により予め同デバイスに設定されたインターネットのサイトにコンピューターを接続するための情報は同デバイスのファームウエアー（マイクロコード）の中に収納されている。【選択図】なし【特許請求の範囲】
【請求項１】
コンピューターに接続されると予め同デバイスに設定されたインターネットのサイトに自動的にコンピューターが接続されることを特徴とした「読み書き可能な記憶装置を持たないＵＳＢ接続の着脱式デバイス」
【請求項２】
コンピューターからはＣＤ−ＲＯＭと認識され、ＡＵＴＯＲＵＮ機能により予め同デバイスに設定されたインターネットのサイトにコンピューターを接続させることを特徴とした請求項１の「読み書き可能な記憶装置を持たないＵＳＢ接続の着脱式デバイス」
【請求項３】
ハブ機能によりＣＤ−ＲＯＭ及びリムーバブルデバイスを持つ複数デバイスとして認識されフラッシュメモリーカードリーダーとしての機能も持つことを特徴とした請求項１の「読み書き可能な記憶装置を持たないＵＳＢ接続の着脱式デバイス」
【請求項４】
ＡＵＴＯＲＵＮ機能により予め同デバイスに設定されたインターネットのサイトにコンピューターを接続するための情報は同デバイスのファームウエアー（マイクロコード）の中に収納されていることを特徴とした請求項２の「読み書き可能な記憶装置を持たないＵＳＢ接続の着脱式デバイス」
【発明の詳細な説明】
【技術分野】
【０００１】
本発明は、コンピューターにＵＳＢ接続する着脱式デバイスに関するものである。
【背景技術】
【０００２】
ＵＳＢメモリーにおいて予め同デバイスのメモリーに設定されたインターネットのサイトにコンピューターを接続することのできるデバイスがあった。
【発明の開示】
【発明が解決しようとする課題】
【０００３】
しかしながら、このようなデバイスは、メモリーデバイスに限定されていたため、他のＵＳＢ接続デバイスには適用することができなかった。
【課題を解決するための手段】
【０００４】
本発明においては、ＵＳＢ接続デバイスのファームウエアー（マイクロコード）の中にＡＵＴＯＲＵＮ機能により予め同デバイスに設定されたインターネットのサイトにコンピューターを接続するためファームウエアー（マイクロコード）を収納することにより、メモリーデバイスのみならず全てのＵＳＢ接続デバイスに、インターネットのサイトへを接続機能を可能にさせた。
【発明の効果】
【０００５】
本発明により、ＵＳＢ接続の着脱式デバイスの全てにおいて、コンピューターに接続されると予め同デバイスに設定されたインターネットのサイトに自動的にコンピューターを接続される機能が実現する。
【発明を実施するための最良の形態】
【０００６】
発明の実施形態を実施例にもとずき説明する。
【実施例】
【０００７】
読み書き可能な記憶装置を持たないＵＳＢ接続の着脱式デバイスであって、
コンピューターに接続されると予め同デバイスに設定されたコンピューターに接続されると予め同デバイスに設定されたインターネットのサイトに自動的にコンピューターが接続されることを特長とした「読み書き可能な記憶装置を持たないＵＳＢ接続の着脱式デバイス」のサイトに自動的にコンピューターが接続される。本発明は上記ＵＳＢ接続の
脱着式デバイス。          同ＵＳＢデバイスはコンピューターからはＣＤ−ＲＯＭと認識され、ＡＵＴＯＲＵＮ機能により予め同デバイスに設定されたインターネットのサイトにコンピューターを接続する。AＵＴＯＲＵＮ機能により予め同デバイスに設定されたインターネットのサイトにコンピューターを接続するための情報は同デバイスのファームウエアー（マイクロコード）の中に
収納されている。
【０００８】
読み書き可能な記憶装置を持たないＵＳＢ接続の着脱式デバイスであって、
コンピューターに接続されると予め同デバイスに設定されたインターネット
のサイトに自動的にコンピューターが接続されるＵＳＢ接続の脱着式デバイス。  ハブ機能によりＣＤ￣ＲＯＭ及びリムーバブルデバイスを持つ複数デバイスとして認識されフラッシュメモリーカードリーダーとしての機能も持つ。        同ＵＳＢデバイスはコンピューターからはＣＤ−ＲＯＭ及びリムーバブルデバイスと認識され、ＡＵＴＯＲＵＮ機能により予め同デバイスに設定されたインターネットのサイトにコンピューターを接続する。AＵＴＯＲＵＮ機能により予め同デバイスに設定されたインターネットのサイトにコンピューターを接続するための情報は同デバイスのファームウエアー（マイクロコード）の中に
収納されている。
【産業上の利用可能性】
【０００９】
以上のようにすれば、あらゆるＵＳＢ接続デバイスがコンピューターに接続するだけでインターネットのサイトに接続することができるので、ＵＳＢ接続デバイスの応用範囲が格段に広がる。
たとえば、拡販用ノベルティとして利用するＵＳＢ接続着脱式デバイスに、本発明を組み込むと、宣伝用のインターネットサイトに誘導できるため、宣伝を極めて効果的に行うことができる。
【図面の簡単な説明】
【００１０】
【図１】読み書き可能な記憶装置を持たないＵＳＢ接続の着脱式デバイス。
【図２】読み書き可能な記憶装置を持たないＵＳＢ接続の着脱式デバイスであって      フラッシュメモリーカードリーダーとしての機能も持つたもの。
【図１】
2010015218.tif 000002
【図２】
2010015218.tif 000003